(57)【要約】      （修正有）【課題】確実かつ容易にに電子タグの総数を把握することを可能とする一括管理システムを提供する。【解決手段】送受信部を有するコンピュータに、グループ番号を生成するステップＳ１０２と、前記送信部に電子タグに該電子タグが一意に有するＩＤを含んだ応答の返信命令を送信させるステップＳ１０３と、前記受信部から前記応答の入力を受け付けるステップＳ１０４と、前記受け付けた前記電子タグからの応答の数を数え、前記総数情報を決定するステップＳ１０６と、前記送信部に前記受信した応答に含まれるＩＤに基づいて、該電子タグの前記記憶領域に前記グループ番号及び前記総数情報の書込み命令を送信させるステップＳ１０７とを実行させる一括管理プログラム。【選択図】図５
2010102669.tif 000002
【特許請求の範囲】
【請求項１】
一意に識別可能なＩＤを持ち読み書き可能な記憶領域を有する複数の電子タグとそれぞれ通信可能なコンピュータであって、外部からの信号を受信する受信部及び外部への信号を送信する送信部と接続しているコンピュータに一括管理を実行させるためのプログラムにおいて、
前記コンピュータに、
前記電子タグを有する複数の物品をひとつのグループとして管理するために該グループに一意に付されるグループ番号を生成するステップと、
前記送信部に前記電子タグに該電子タグの前記ＩＤを含んだ応答の返信命令を送信させるステップと、
前記受信部から前記応答の入力を受け付けるステップと、
前記受信部より受け付けた電子タグからの前記応答の数を数え、前記グループに属する物品の総数である総数情報を決定するステップと、
前記送信部に、前記応答に含まれる前記ＩＤに対応する電子タグの前記記憶領域に、前記生成した前記グループ番号及び前記決定した総数情報の書込み命令を送信させるステップと
を実行させることを特徴とする一括管理プログラム。
【請求項２】
前記応答の返信命令を送信させるステップは、前記送信部に前記返信命令を複数回送信させることを特徴とする請求項１記載の一括管理プログラム。
【請求項３】
前記応答の返信命令を送信させるステップは、前記グループ番号及び前記総数情報を前記記憶領域に有していない初期状態の電子タグを指定して、前記送信部に前記返信命令を送信させることを特徴とする請求項１記載の一括管理プログラム。
【請求項４】
前記一括管理プログラムはさらに、前記応答の返信命令を送信させるステップに先立って、前記複数の電子タグに前記記憶領域に存在する少なくとも前記部ループ番号及び総数情報を消去させる命令を送信させることを特徴とする請求項１または請求項３記載の一括管理プログラム。
【請求項５】
前記総数情報を決定するステップは、前記応答に含まれる前記ＩＤを抽出し該ＩＤの数を数えることを特徴とする請求項１記載の一括管理プログラム。
【請求項６】
一意に識別可能なＩＤを持ち読み書き可能な記憶領域を有する複数の電子タグとそれぞれ通信可能なコンピュータであって、外部からの信号を受信する受信部及び外部への信号を送信する送信部と接続しているコンピュータに一括管理を実行させるためのプログラムにおいて、
前記コンピュータに、
前記受信部から、前記電子タグを個別に付した複数の物品をひとつのグループとして管理するための該グループに一意に付されるグループ番号と該グループに属する前記物品の総数である総数情報とを含んだ応答の入力を受け付けるステップと、
前記送信部に、前記受信部より受け付けた前記応答に含まれる前記グループ番号と同一のグループ番号を有する前記電子タグに該タグのＩＤを含んだ応答の返信命令を送信させるステップと、
前記受信部からの前記応答の入力を受け付けるステップと、
前記受信部より受け付けた前記応答の数を数えるステップと、
前記受信部より受け付けた前記応答に含まれる総数情報と前記検品カウンタ部が数えた前記応答の数とを比較し両者が一致するか否かを判定するステップと、
前記判定した結果を出力するステップと
を実行させることを特徴とする一括管理プログラム。
【請求項７】
前記応答の返信命令を送信させるステップは、前記送信部に前記返信命令を複数回送信させることを特徴とする請求項６記載の一括検品プログラム。
【請求項８】
請求項６または請求項７記載の一括検品プログラムは更に、
前記応答の入力を受け付けるステップで受け付けた応答に含まれる前記ＩＤに対応する電子タグの前記記憶領域に、応答した電子タグと応答してない電子タグとを識別するための識別情報を書き込むよう前記送信部に識別情報書込み命令を送信させるステップを実行させることを特徴とする。
【請求項９】
前記応答の数を数えるステップは、前記応答に含まれる前記ＩＤを抽出し該ＩＤの数を数えることを特徴とする請求項６記載の一括管理プログラム。
【請求項１０】
一意に識別可能なＩＤを持ち、読み書き可能な記憶領域を有する複数の電子タグとそれぞれ通信可能な一括管理装置であって、
前記電子タグを有する複数の物品をひとつのグループとして管理するための該グループに一意に付されるグループ番号を生成するグループ番号管理部と、
前記電子タグからの該電子タグの前記ＩＤを含んだ応答を受信する受信部と、
前記受信部が受信した前記電子タグからの前記応答の数を数え、前記グループに属する前記物品の総数である総数情報を決定する総数カウンタ部と、
前記電子タグに前記応答を返信するように命令を送信するとともに、前記グループ番号管理部が生成した前記グループ番号及び前記総数カウンタ部が決定した前記総数情報を前記受信部が受信した前記応答に含まれるＩＤに対応する該電子タグの前記記憶領域に書込むよう命令を送信する送信部と
を有することを特徴とする一括管理装置。
【請求項１１】
一括管理装置と通信可能な電子タグであって、
前記電子タグを一意に識別可能なＩＤ、電子タグを個別に付した複数の物品をひとつのグループとして管理するための該グループに一意に付されるグループ番号及び、該グループに属する物品の総数である総数情報を記憶する記憶部と、
前記一括管理装置からの命令を受信する受信部と、
前記一括管理装置へ前記ＩＤを含んだ応答を送信する送信部と
前記受信した命令を読み出し、該命令が前記グループ番号と前記総数情報との書き込み要求であった場合は、該グループ番号と総数情報とを前記記憶部に記憶させ、該命令が応答命令であった場合は、前記送信部に前記応答を送信させる制御部と
を有することを特徴とする電子タグ。
【請求項１２】
一意に識別可能なＩＤを持ち、読み書き可能な記憶領域を有する複数の電子タグとそれぞれ通信可能な一括管理装置であって、
前記電子タグを個別に付した複数の物品をひとつのグループとして管理するための該グループに一意に付されるグループ番号、該グループに属する物品の総数である総数情報及び、該電子タグの前記ＩＤを含んだ応答を受信する受信部と、
前記受信部が受信した前記応答に含まれるグループ番号と同一のグループ番号を有する前記電子タグに該電子タグの前記ＩＤを含んだ前記応答を返信するよう命令を送信する送信部と、
前記受信部が受信した前記応答の数を数える検品カウンタ部と、
前記受信部が受信した前記応答に含まれる総数情報と前記検品カウンタ部が数えた前記応答の数とを比較し両者が一致するか否かを判定する検品判定部と、
前記判定した結果を出力する検品結果出力部と
を有することを特徴とする一括管理装置。
【請求項１３】
一意に識別可能なＩＤを持ち読み書き可能な記憶領域を有する複数の電子タグとそれぞれ通信可能なコンピュータであって、外部からの信号を受信する受信部及び外部への信号を送信する送信部と接続しているコンピュータにおいて実行される一括管理方法であって、
前記電子タグを有する複数の物品をひとつのグループとして管理するために該グループに一意に付されるグループ番号を生成するステップと、
前記送信部に前記電子タグに該電子タグの前記ＩＤを含んだ応答の返信命令を送信させるステップと、
前記受信部から前記応答の入力を受け付けるステップと、
前記受信部より受け付けた電子タグからの前記応答の数を数え、前記グループに属する物品の総数である総数情報を決定するステップと、
前記送信部に、前記応答に含まれる前記ＩＤに対応する電子タグの前記記憶領域に、前記生成した前記グループ番号及び前記決定した総数情報の書込み命令を送信させるステップと
を含むことを特徴とする一括管理方法。
【請求項１４】
一意に識別可能なＩＤを持ち読み書き可能な記憶領域を有する複数の電子タグとそれぞれ通信可能なコンピュータであって、外部からの信号を受信する受信部及び外部への信号を送信する送信部と接続しているコンピュータにおいて実行される一括管理方法であって、
前記受信部から、前記電子タグを個別に付した複数の物品をひとつのグループとして管理するための該グループに一意に付されるグループ番号と該グループに属する前記物品の総数である総数情報とを含んだ応答の入力を受け付けるステップと、
前記送信部に、前記受信部より受け付けた前記応答に含まれる前記グループ番号と同一のグループ番号を有する前記電子タグに該タグのＩＤを含んだ応答の返信命令を送信させるステップと、
前記受信部からの前記応答の入力を受け付けるステップと、
前記受信部より受け付けた前記応答の数を数えるステップと、
前記受信部より受け付けた前記応答に含まれる総数情報と前記検品カウンタ部が数えた前記応答の数とを比較し両者が一致するか否かを判定するステップと、
前記判定した結果を出力するステップと
を含むことを特徴とする一括管理方法。
【発明の詳細な説明】
【技術分野】
【０００１】
本発明は、電子タグを利用し物品の総数管理を行う一括管理プログラム、方法および装置に関する。
【背景技術】
【０００２】
電子タグを用いて物流を管理する技術がある。この電子タグを用いた物流管理方法は従来の人手による物流管理方法に比べ労働力と時間を削減できる。その中でも複数の物品の任意の組み合わせで構成される物品群の物流管理方法に対応したものとして、特許文献１や特許文献２がある。
【０００３】
特許文献１には、各々の物品に付された自身の製品情報等を記憶させた製品情報タグと物品の一括搬送用の搬送材で搬送する物品の総数情報を記憶させた搬送情報タグとを有しており、検品時に読み取り装置に接続された管理手段が搬送情報タグから得た総数情報の値と読み出した製品情報タグの数とを比較し、一致不一致をチェックするという技術が開示されている。
【０００４】
特許文献２には、物品を識別するためのＩＤ情報が書き込まれるタグであって、読み取り手段によって同時に読み出される他のタグとの関連性を示す関連情報が予め書き込まれているタグを用いる技術が開示されている。この関連情報とはたとえばその物品の前後の物品に付されたタグのＩＤであり、これら組み合わされた各物品のタグを同時に読み出すことにより、漏れなくタグを読み取ることができたかどうかを把握することができる。
【特許文献１】特開２００７−３１０４３号公報
【特許文献２】特開２００２−９２１１４号公報
【発明の開示】
【発明が解決しようとする課題】
【０００５】
電子タグを用いた物流管理方法においては、特許文献１や特許文献２のように運ばれる荷物毎に電子タグが付されることや更に荷物を積載する搬送材やパレットに電子タグが付されることが考えられる。また出荷時や納品時に読取装置が電子タグに記憶されている情報を読み取ることも考えられる。
【０００６】
電子タグを個々に有している物品が所定個数納入されたかを確認する上で、納入予定数の情報の取得および実際に納入された数の把握は必須である。この納入予定数と実際に読み取った（納入された）電子タグの数との比較によって、物流管理がなされるからである。しかし、読み取りの際に電子タグの位置が読取装置から離れている場合や、電子タグと読取装置との間に障害物がある場合等には、タグの読み取りが上手くいかずに必要な情報を取得できないことがある。
【０００７】
特許文献１に開示された技術は、搬送情報タグに予め総数情報を書き込む必要があるため出荷側で総数が把握できていない場合は、適用できない。また総数情報を書込むための搬送情報タグを別途用意しなければならず、その搬送情報タグに記憶された総数情報を読み取れなければその先の一致不一致のチェックが不能となる。
【０００８】
また特許文献２に開示された技術では、納入予定数（総数情報）はタグに記録されないので、検品時に納入予定数を把握することができない。また関連情報を書込むことができる記憶エリアを有するタグを用いなくてはならず、記憶エリアが大きなタグは単価が高いため、物品毎に電子タグを付す事が要求される特許文献２に開示された技術においては、コスト増となる。
【０００９】
本発明は上記の従来の問題点を鑑みて発明したものであって、ひとつのグループを構成する物品の数が把握できていない状態から納入予定数（以下、総数とする）を容易に把握することを課題とする。更に納入された数と総数との一致不一致を迅速に把握できる一括管理システムを提供することを課題とするものである。
【課題を解決するための手段】
【００１０】
本願に開示する一括管理装置は複数の電子タグと通信可能なリーダライタ装置が、電子タグに応答を命令して、電子タグに一意に付されたタグＩＤを含んだ応答を送信させる。そして受信した電子タグからの応答数を数え、総数を決定する。そしてその応答から抽出したタグＩＤを指定して電子タグの記憶領域にグループ番号および総数の情報を書込ませる。このグループ番号とは電子タグが付された複数の物品から成るグループに一意に付される番号（記号）のことである。
【発明の効果】
【００１１】
本発明によれば、一括管理装置は総数がわかっていない状態からでも総数を容易に把握できる。さらにひとつのグループを構成する物品に各々付されている電子タグに同一の総数情報を記憶させることによって、検品側では確実かつ迅速に総数情報を知ることが出来る。これによって効率的に物品の総数の一括管理を行うことを可能となる。
【発明を実施するための最良の形態】
【００１２】
本発明の実施例を図面を用いて示す。図１は本発明の実施の一形態であるタグデータ書き込み処理実行側の一括管理装置の機能図である。リーダライタ装置１は複数の電子タグ２と無線通信可能であって、送信部１１と受信部１２とＩＤ記憶部１４及び制御部１６を有し、さらに制御部１６には総数カウンタ部１３及びグループ番号管理部１５を有している。
【００１３】
送信部１１は、外部に信号を発信する処理を行う処理部であって、例えば電子タグ２に応答や書込みの命令を送信する。受信部１２は、電子タグ２からの応答を受信する処理部である。総数カウンタ部１３は、電子タグ２からの応答数を数える処理部であって、ここで数えた数に基づきリーダライタ装置１は物品の総数を把握することができる。また、電子タグ２からの応答に含まれる情報を抽出することができる。
【００１４】
ＩＤ記憶部１４は、受信部１２が電子タグ２から受信した応答に含まれる電子タグ２のタグＩＤを格納する記憶部である。グループ番号管理部１５は電子タグ２を有した複数の物品からなる物品群を一つのグループとしたときにそのグループに一意に付されるグループ番号を生成し管理する処理部である。
【００１５】
そして制御部１６は上記総数カウンタ１３およびグループ番号管理部として動作する処理部である。制御部１７及びＩＤ記憶部１４はリーダライタ装置に含まれる必要はなく、外部に存在し、送信部１１及び受信部１２と接続されている形態でも良い。
【００１６】
そしてリーダライタ装置１と無線通信を行う電子タグ２は、受信部２１と送信部２２と記憶部２３と制御部２４を有する。電子タグ２はそれぞれを一意に識別可能なＩＤを持ち、読み書き可能な記憶領域を有するものであれば良く、具体的にはＲＦＩＤ（Ｒａｄｉｏ  Ｆｒｅｑｕｅｎｃｙ  Ｉｄｅｎｔｉｆｉｃａｔｉｏｎ）タグや無線ＩＣ（Ｉｎｔｅｇｒａｔｅｄ  Ｃｉｒｃｕｉｔ）タグなどであっても良い。
【００１７】
受信部２１はリーダライタ装置１から命令を受信する処理部である。制御部２４は受信部２１が受信した命令を読み込み、判断する処理部である。記憶部２３は予めタグＩＤを格納しており、更にリーダライタ装置１から書込みの命令があった場合は、制御部２４の制御により命令に含まれている情報が新たに格納される記憶部である。送信部２２はリーダライタ装置１から応答の命令があった場合は、制御部２４の制御のもと応答を送信する処理部である。
【００１８】
続いて各処理部の関連した動きについて述べる。送信部１１が命令を発信すると、リーダライタ装置１と通信可能な範囲に存在する電子タグ２の受信部２１がその命令を受信する。制御部２４は受信部２１が受信した命令を読み込み、グループ番号および総数情報を記憶していない初期状態の電子タグに応答を要求する命令であれば、記憶部２３を参照して自身のタグＩＤを含んだ応答を送信部２２に送信させる。
【００１９】
上記初期状態の電子タグ２への応答を要求は実施例の一つである。この処理を行う場合は、単に周囲の電子タグ２に応答を要求するものであってもよい。ただし初期状態の電子タグ２を指定した応答要求は、後述する電子タグ２のリサイクルを行う実施例等においては必須となる。
【００２０】
リーダライタ装置１はその応答を受信部１２で受信し総数カウンタ部１３に受信した情報を受け渡す。総数カウンタ部１３は情報に含まれるタグＩＤを抽出するとともに、応答の数を数え物品の総数を決定する。また総数カウンタ部１３はタグＩＤをＩＤ記憶部１４に引き渡す。ＩＤ記憶部１４はそのタグＩＤを記憶する。
【００２１】
一方、総数カウンタ部１３が決定した総数である総数情報及びグループ番号管理部が生成したグループ番号１５を含んだデータを書き込ませる命令をリーダライタ装置１から電子タグ２の受信部２１が受信した場合は、制御部２４は命令を読み込みそのデータを記憶部２３にデータを記憶させる。
【００２２】
図２は図１と同様に本発明の実施の一形態である一括検品処理実行側の一括管理装置の機能図である。リーダ装置３は複数の電子タグ２と無線通信可能であって、送信部３１と受信部３２と制御部３６を有し、さらに制御部３６には検品カウンタ部３３、検品判定部３４及び検品結果出力部３５を有する。
【００２３】
送信部３１は、外部に信号を発信する処理を行う処理部であって、例えば電子タグ２に応答の命令を発信する。受信部３２は、電子タグ２からの応答を受信する処理部である。検品カウンタ部３３は、電子タグ２の数をカウントする処理部であって、ここでカウントされた数に基づきリーダライタ装置３は納入された物品の数を把握することができる。また、電子タグ２からの応答に含まれる情報を抽出することができる。
【００２４】
検品判定部３４は、総数チェックを行う処理部であって、納入された物品が有している電子タグ２の数と予め電子タグ２に記憶されている総数情報が一致するかを判定する。検品結果出力部３５は、検品判定部３４における総数チェック結果を出力する処理部である。検品結果出力部３５は外部の出力装置に出力させる指示を出す処理部として機能するとしてもよい。
【００２５】
そして制御部３６は上記検品カウンタ部３３、検品判定部３４及び検品結果出力部３５として動作する処理部である。制御部３７はリーダライタ装置３に含まれる必要はなく、外部に存在し、送信部３１及び受信部３２と接続されている形態でも良い。
【００２６】
電子タグ２については図１と同様であるので省略する。
【００２７】
続いて各処理部の関連した動きについて述べる。送信部３１が命令を発信すると、無線通信可能な範囲に存在する電子タグ２の受信部２１がその命令を受信する。制御部２４は受信部２１が受信した命令を読み込み、自身の記憶している情報を含んだ応答を要求する命令であれば、記憶部２３を参照してタグＩＤ、グループ番号及び総数情報を含んだ応答を送信部２２に送信させる。
【００２８】
リーダ装置３の受信部３２は、応答を受信しグループ番号を検品カウンタ部３３へ受け渡す。そして検品カウンタ部３３はグループ番号と総数情報を抽出する。そしてグループ番号を送信部３１へ引き渡し、該グループ番号を指定して応答命令を送信させる。また総数情報を検品判定部３４に引き渡す。
【００２９】
一方、受信部２１が受信した命令が指定された条件に当てはまる電子タグ２に応答を要求する命令であれば、制御部２４は記憶部２３を参照して条件に合致していれば自身のタグＩＤを含んだ応答を送信部２２に送信させる。リーダ装置３はその応答を受信部３２で受信し、検品カウンタ部３３へ受け渡す。そして検品カウンタ部３３はタグＩＤを抽出する。そして検品カウンタ部３３は受信した応答の数を数え検品判定部３４に引き渡す。
【００３０】
検品判定部３４は検品カウンタ部から受け取った応答数と前記総数情報を比較して、一致しているか否かを判定する。その結果を検品結果出力部３５に引き渡し、検品結果出力部３５は出力する。
【００３１】
また一括管理装置は図１および図２に示した両機能を一台のリーダライタ装置上で実現する形態であっても良い。この場合は一台のリーダライタ装置でタグデータ書込み処理と一括検品処理とを両方実行できる装置となる。つまり納入される物品の個数管理（一括検品処理）と出荷する物品の個数管理（タグデータ書込み処理）とを一台の装置で行うことで、施設の入り口と出口の物流管理をまかなう事が可能となる。
【００３２】
さらに後述するように、タグデータ書込み処理が確実に行われたかを一括検品装置による処理によって確認することもできる。この場合は、タグデータ書込み時の総数カウンタ部１３と検品時の検品カウンタ部３３を一つのカウンタ部で行うとしても良い。
【００３３】
図３は初期状態の電子タグ２の記憶部２３に格納されているデータテーブル一例であり、タグＩＤ３１１、グループ番号３１２、総数情報３１３の各項目を有している。
【００３４】
タグＩＤ３１１は電子タグ２を一意に識別するために予めそれぞれに一意に付されている記号を格納している。例えば電子タグ（Ａ）２−１では「１０００１」、電子タグ（Ｂ）２−２では「１０００２」がタグＩＤとして格納されている。グループ番号３１２は、電子タグ２を有した複数の物品からなる物品群を一つのグループとしたときにこのグループに一意に付された記号を格納している。また初期状態では記憶されていない。そして総数情報３１３は前記グループに属する物品の総数にあたる総数情報を格納している。また初期状態では記憶されていない。
【００３５】
例えば電子タグ（Ａ）２−１は、グループ番号３１２には「０００００００」かつ総数情報３１３には「００００」とあるので、この電子タグ（Ａ）２−１は初期状態と判断される。したがって、リーダライタ装置１から初期状態の電子タグを指定して応答要求があった場合は、電子タグ（Ａ）は上記の通り初期状態であるので、タグＩＤ３１１に格納されている「１０００１」というタグＩＤを送信することとなる。また、これら電子タグ２はタグＩＤ及びグループ番号と総数情報とが書込める領域が満足を有していれば良く、記憶可能領域が大きな電子タグを用いる必要はない。
【００３６】
図４はタグデータ書込み処理完了時のタグデータテーブル例である。図３の初期状態の電子タグはタグデータ書込み処理の実行によって図４のように新たにグループ番号３１２と総数情報３１３とに情報が格納されることとなる。このデータテーブルに存在する情報を用いてその後一括検品が実行されることとなる。
【００３７】
グループ番号３１３には、リーダライタ装置１のグループ番号管理部１５が生成したグループ番号であって、送信部１１が書き込み命令を送信し、電子タグ２の受信部２１が受信した情報が格納されている。このときグループ番号は一意の記号であれば良く、例えば「リーダライタ装置に固有のＩＤ＋グループ番号の生成日時」等であり、グループ番号３１２に格納されている「Ａ２００８０８０１−１」等である。
【００３８】
また、リーダライタ装置１とネットワークで接続された不図示のセンタコンピュータの記憶装置にこれまでに各リーダライタ装置が使用したグループ番号を記憶させ、そこに存在しない番号をセンタ装置から与えられ、グループ番号管理部１５が電子タグ２の記憶部２３に付与する形態でも良い。ただしこの場合はネットワークとの通信を可能とする通信部がリーダライタ装置１に必要となる。
【００３９】
総数情報３１３には、送信部１１が電子タグ２にリーダライタ装置１の総数カウンタ部１３が数えた初期状態の電子タグからの応答の数を書き込むよう命令を送信し、電子タグ２の受信部２１が受信した情報が格納される。例えば、電子タグ２を有した物品が１２０個ある場合は、総数カウンタ部１３は１２０個の初期状態の電子タグからの応答を数えることとなり、電子タグ２の総数情報３１３の欄に「１２０」と書き込まれる。
【００４０】
以降、本発明の実施例についてフローチャートを用いて説明する。  なお、リーダライタ装置１の通信範囲を固定するために電波吸収によって囲まれた環境を準備し、データ書込み処理を行う電子タグ２を有した物品のみをこの通信可能範囲に存在させるとなお良い。
【００４１】
図５は一括管理装置におけるタグデータ書込み処理のフローチャートである。また以下は電子タグをＲＦＩＤタグとして詳しい処理の流れを説明する。さらに図５は図１に示すリーダライタ装置１の処理とＲＦＩＤタグ２の処理とを対応付けて記載している。
【００４２】
まずリーダライタ装置１はタグデータ書込み開始指示を受けると送信部１１がＲＦＩＤタグ２に初期化命令を出す（Ｓ１０１）。リーダライタ装置１と無線通信可能な範囲に存在しているＲＦＩＤタグ２の受信部２１がこの初期化命令を受信し、記憶部２３にタグＩＤ３１１以外の情報を記憶している場合には、該情報を初期化し（Ｓ２０１）、終了する。例えば固有のタグＩＤ３１３以外のグループ番号３１２や総数情報１３１に格納されている情報を「０」に変更する、もしくは以前利用されたときのグループ番号等の何らかのデータが残っている場合は「０」にする等である。
【００４３】
リーダライタ装置１でＳ１０１の処理を行うことで、ＲＦＩＤタグ２のリサイクルが可能となる。すなわち同一のＲＦＩＤタグを何度も再利用することが出来、コスト削減につながる。なお予め初期状態のＲＦＩＤタグのみを用いている場合は省略可能である。さらに、すでに第一のグループ番号を有しているグループ１に、グループ番号が書き込まれていないグループ２を付加して出荷する等グループ番号を削除する必要がない場合はこのステップを省略することが出来る。
【００４４】
続いてリーダライタ装置１のグループ番号管理部１５がグループ番号を生成する（Ｓ１０２）。例えば、図４の３１２に格納されているような「Ａ２００８０８０１−１」等の一意の記号をグループ番号として生成する。
【００４５】
そして送信部１１が初期状態のＲＦＩＤタグ２に応答するよう命令を出す（Ｓ１０３）。リーダライタ装置１と無線通信可能な範囲に存在しているＲＦＩＤタグ２の受信部２１はリーダライタ装置１からの命令を受信（Ｓ２０２）する。Ｓ１０３においては初期状態のタグを指定せずに周囲の電子タグ２に応答を要求するものであってもよい。
【００４６】
そして制御部２４が前記受信した命令を読み込み、記憶部２３を参照して自身のタグが初期状態すなわち、グループＩＤ３１２および総数情報３１３に情報を格納していなければ（Ｓ２０３ＹＥＳ）、そのタグＩＤ３１１に格納されている情報を含んだ応答を送信部２２に送信させる（Ｓ２０４）。一方Ｓ２０３において、すでにグループ番号３１２に情報を有している等ＲＦＩＤタグ２が初期状態でなければ応答は送信せずに終了する（Ｓ２０２ＮＯ）。
【００４７】
しかしＳ１０３において送信された命令が周囲の電子タグ２に応答を要求するものであった場合は、Ｓ２０３を経ずに応答を送信する。以後、一括管理装置が初期状態の電子タグへの応答命令を、単に周囲の電子タグ２への応答命令とした場合は、電子タグは初期状態であるかの判断を経ずに応答を返信するものとする。
【００４８】
続いてリーダライタ装置１の受信部１２は、Ｓ２０４の応答を受信する（Ｓ１０４）。このときリーダライタ装置１と無線通信可能な範囲に存在している初期状態のＲＦＩＤタグ２から応答を受信することとなる。そして受信した応答からタグＩＤを抽出して、ＩＤ記憶部１４が一時的にタグＩＤを全て記憶する（Ｓ１０５）。
【００４９】
全てのタグＩＤの読込みと記憶が終了した後、総数カウンタ部１３がＩＤ記憶部１４に存在するタグＩＤの数を数え、その数をＲＦＩＤタグの総数と決定する（Ｓ１０６）。タグＩＤの数を数えることで、リーダライタ装置１と通信可能な範囲に存在するＲＦＩＤタグ２の数を重複なく数えることができる。よって、より確実に総数を把握できるようになる。しかし、ここで単に受信部１２から受け取った応答の数を数えることとしても良い。
【００５０】
例えば、Ｓ１０４において１２０個のＲＦＩＤタグ２から応答を受け取った場合は、ＩＤ記憶部１４に１２０個のタグＩＤが記憶される。よって総数カウンタ部１３のカウント番号は１２０となり、総数は１２０個であると決定する。
【００５１】
続いて送信部１１はＩＤ記憶部１４にあるタグＩＤを順に読み出し、タグＩＤを指定して総数情報とグループ番号管理部１５が生成した（Ｓ１０２）グループ番号との書込み命令を送信する（Ｓ１０７）。送信部１１がＩＤ記憶部１４に記憶している全てのタグＩＤにＳ１０７の書込み命令を行った場合はタグデータ書込みフローを終了する（Ｓ１０８ＹＥＳ）。
【００５２】
一方全てのタグＩＤに命令が出されていない（Ｓ１０８ＮＯ）場合はＳ１０７に戻り、全てのタグＩＤに命令を出すまでこの処理を繰り返す。待機していたＲＦＩＤタグ２の受信部２１はリーダライタ装置１の送信部１１がＳ１０７で送信した命令を受信して（Ｓ２０５）、制御部２４が記憶部２３を参照し自身のタグＩＤと指定されたタグＩＤとが一致するか判定する。
【００５３】
一致した（Ｓ２０６ＹＥＳ）場合はＳ２０７へ進み、記憶部２３のグループ番号３２２と総数情報３２３に受信した情報を書込む。一方、指定されたタグＩＤと一致しなかった場合は、終了する（Ｓ２０６ＮＯ）。リーダライタ装置１のＳ１０７からＳ１０８においてＩＤ記憶部１４に存在する全てのタグＩＤに命令が出されるので、命令の数だけＳ２０５からＳ２０７の処理は繰り返される。
【００５４】
そして自身のタグＩＤが指定された電子タグの記憶部２３のグループ番号３２２と総数情報３２３とに受信した情報が書き込まれることとなる。例えば、図４の電子タグ（Ａ）２−１ようにタグＩＤ３１１に存在する「１０００１」がリーダライタ装置１において指定されたタグＩＤであった場合に、ＲＦＩＤタグ２の記憶部２３のグループ番号３１２に「Ａ２００８０８０１−１」が、総数情報３１３に「１２０」が書き込まれることとなる。
【００５５】
以上、一連の処理によって物品の総数を把握することが出来る。さらに記憶部２３に書き込まれる情報はグループ番号と総数情報のみであり、小さな記憶可能領域のＲＦＩＤタグを利用することができる。そして電子タグ２に納入先に納入される予定である総数情報が書き込まれているので、ネットワークを介して総数情報を入手する必要がない。よってネットワークを必要とせず、検品処理を実行できる。
【００５６】
図６は一括管理装置における一括検品処理のフローチャートである。さらに図６は図２に示すリーダ装置３の処理とＲＦＩＤタグ２の処理とを対応付けて記載している。
【００５７】
リーダ装置３は検品開始指示を受けると、送信部３１がリーダ装置１と通信可能な範囲に存在しているＲＦＩＤタグ２に自身の記憶している情報（グループ番号３２２と総数情報３２３に格納されている情報）を含んだ応答をするよう命令する（Ｓ３０１）。リーダ装置３と通信可能な範囲に存在しているＲＦＩＤタグ２の受信部２１はこの命令を受信する（Ｓ４０１）。そして制御部２４は送信部２２に応答を送信させ（Ｓ４０２）、終了する。
【００５８】
ＲＦＩＤタグ２からの応答の内最も早い応答をリーダ装置３の受信部３２が受信し、検品カウンタ部３３はその応答に含まれている情報「グループ番号と総数情報」を抽出する（Ｓ３０２）。例えば応答には図４のグループ番号３１２に格納されている「Ａ２００８０８０１−１」と総数情報３１３に格納されている「１２０」とが含まれているので、リーダ装置３の受信部３２が受信した応答から検品カウンタ部３３がこの二つの情報を抽出する。
【００５９】
そして送信部３１はＳ３０２にて抽出したグループ番号を指定して、同じグループ番号を有するＲＦＩＤタグ２に応答するように命令する（Ｓ３０３）。ＲＦＩＤタグ２の受信部２１はこの命令を受信し（Ｓ４０３）、制御部２４が命令を読み込み、記憶部２３のグループ番号３２２を参照し、指定されたグループ番号と記憶しているグループ番号が一致するかを判定する。
【００６０】
一致すれば（Ｓ４０４ＹＥＳ）、Ｓ４０５に進みタグＩＤを含んだ応答を送信して、終了する。一方、Ｓ４０４において一致しなかった（Ｓ４０４ＮＯ）場合はそのまま終了する。例えば、指定されたグループ番号が「Ａ２００８０８０１−１」であった場合は、ＲＦＩＤタグ２の受信部２１が応答命令を受信し、制御部２４が命令を読み込んで記憶部２３のグループ番号３１２を参照する。図４の状態であれば格納されている情報が「Ａ２００８０８０１−１」で、指定のグループ番号と一致するので、制御部２４はタグＩＤ３１１に格納されている「１０００１」を含んだ応答を送信部２２に送信させる。
【００６１】
ＲＦＩＤタグ２の送信部２２がＳ４０５において送信した応答をリーダ装置３の受信部３２が受信する（Ｓ３０４）。そして検品カウンタ部３２が応答に含まれるタグＩＤを抽出する。続いて検品カウンタ部３３はこのタグＩＤを数え上げる（Ｓ３０５）。これは単に応答数を数え上げるだけでも良い。
【００６２】
検品判定部３４は応答したタグＩＤの数とＳ３０２で読み込んだ総数情報を比較し、一致するか否かを判定する。一致した（Ｓ３０６ＹＥＳ）場合は検品結果出力部３５が「検品ＯＫ」の旨を出力し（Ｓ３０７）、一致しなかった（Ｓ３０６ＮＯ）場合は「検品ＮＧ」の旨を出力する（Ｓ３０８）。例えば、図４の状態であるＲＦＩＤタグ２からＳ３０２で応答を受け総数情報「１２０」を読み取った場合に、検品カウンタ部のカウンタが１２０であれば総数情報「１２０」と一致するので「検品ＯＫ」と出力し、１１８であれば不一致であるため「検品ＮＧ」と出力する。
【００６３】
「検品ＮＧ」と判断された場合は、さらにこの処理を繰り返すとしても良い。この場合は更に、送信部２１及び受信部３２であるアンテナを回転させる、アンテナを複数有している場合には用いるアンテナを変更させる、若しくは信号の出力電圧を大きくするなどを行うとなお良い。
【００６４】
以上の一連の処理によって、ＲＦＩＤタグ２とリーダ装置３というシンプルな構成で、かつ少ない信号の送受信で効率的に納入物品の総数チェックが可能となる。さらに一括検品に用いる情報は小さく、記憶可能領域の小さなＲＦＩＤタグ２で一括検品を行うことができる。またネットワーク環境を必要とせずに、正確に一括検品が行える。
【００６５】
タグデータ書込み処理を行うリーダライタ装置１と一括検品処理を行うリーダ装置３の機能を一台の一括検品装置で実現した場合には、図５に示したタグデータ書込み処理のフローチャートにおいてＳ１０８の後、図６に示した一括検品処理を実行させることが出来る。これによって総数情報およびグループ番号が全ての電子タグに正しく記憶されているかを確認することが出来、タグデータの書込み処理をより確実に行うことができる。
【００６６】
さらに図１および図２の装置の構成で以下のような実施の形態も可能である。
【００６７】
図７および図８は他の実施の形態におけるタグデータ書込み処理のフローチャートであり、図１におけるリーダライタ装置１の処理とＲＦＩＤタグ２の処理を対応付けて記載したものである。この実施形態は、好ましいとはいえない条件下でもタグデータ書込みを可能とするための処理の一例を示したものである。
【００６８】
具体的に好ましいとはいえない条件下とは、ＲＦＩＤタグ２とリーダライタ装置１のアンテナ（送信部１１および受信部１２に相当）との距離が遠い、ＲＦＩＤタグ２とリーダライタ装置１の間に電波の障害物が存在する、タグデータ書込み実施場所の電波の反射・干渉などの環境条件よって、信号の送受信が正確に行えないような場合である。
【００６９】
まずリーダライタ装置１の処理Ｓ５０１からＳ５０３は図５のＳ１０１からＳ１０３と、ＲＦＩＤタグ２の処理Ｓ６１０とＳ６０１からＳ６０３は図５のＳ２０１からＳ２０４と各々同様であるので説明を割愛する。リーダライタ装置１は、ＲＦＩＤタグ２のＳ６０３のステップにより送信された自身のタグＩＤを含んだ応答を受信した場合は（Ｓ５０４ＹＥＳ）、受信部１２は最も早く到達した応答を受信する（Ｓ５０５）。そして総数カウンタ部１３がタグＩＤを抽出し、カウント番号を一つ数え上げる（Ｓ５０６）。
【００７０】
そして抽出したタグＩＤをＩＤ記憶部１４に記憶し、送信部１１がそのタグＩＤを指定してＳ５０２で生成したグループ番号の書込み命令を送信する（Ｓ５０７）。そして命令を出した後はＡに進む。ＲＦＩＤタグ２の受信部２１はグループ番号書込み命令を受信し（Ｓ６０４）、制御部２４が指定されたタグＩＤと自身のタグＩＤが一致するかを判定する。そして一致すれば（Ｓ６０５ＹＥＳ）、記憶部２３のグループ番号３１２に情報を記憶する（Ｓ６０６）。一致しなければ終了する（Ｓ６０５ＮＯ）。
【００７１】
一方、リーダライタ装置１は再び初期状態のタグに応答を命令し（Ｓ５１１）、応答を受信した場合は（Ｓ５１２ＹＥＳ）、Ｓ５０５へ進み同じ処理を繰り返す。ＲＦＩＤタグ２も同様にＳ６０４からＳ６０６を命令の数だけ繰り返し、自身のタグＩＤ３１２が指定されたグループ番号書込み命令が出されたときにグループ番号３２２に記憶する。
【００７２】
例えば、図４の電子タグ（Ａ）２−１のようにタグＩＤ３１１に存在する「１０００１」がリーダライタ装置１において指定されたタグＩＤであった場合に、ＲＦＩＤタグ２の記憶部２３のグループ番号３１２に「Ａ２００８０８０１−１」が書き込まれることとなる。
【００７３】
リーダライタ装置１では初期状態のＲＦＩＤタグ２からの応答がなくなれば（Ｓ５１２ＮＯ）、Ｓ５０８に進む。そして総数カウンタ部１３はその時点でのカウント番号をＲＦＩＤタグ２の総数と決定する（Ｓ５０８）。例えば、応答がなくなった時点でカウント番号が「１２０」を示していれば、ＲＦＩＤタグ２の総数は１２０であると決定する。
【００７４】
送信部１１はＩＤ記憶部１４に存在するタグＩＤを順次指定して総数情報の書込み命令を送信する（Ｓ５０９）。ＩＤ記憶部１４に存在する全てのタグＩＤに命令を出すまでこの処理を繰り返し、全てに命令を出した場合に終了する（Ｓ５１０ＹＥＳ）。
【００７５】
Ｓ５０７、Ｓ５１１およびＳ５０９において命令の送信を実行するごとに、送信部１１および受信部１２を有するアンテナを回転させる、アンテナの位置を変える、若しく送信の出力の電力を変化させる等を行うと良い。これによってＲＦＩＤタグ２への命令が電子タグ２に確実に受信される。この場合は、更にアンテナの位置や送信の出力電力を制御する処理部を設けるようにしても良い（図示せず）。
【００７６】
例えば、電波を送信するアンテナから遠い位置にあるＲＦＩＤタグ２も、使用するアンテナを変える（位置が変わる）ことで、電波の送受信がより安定的に行えるようになる。そして、応答が確実に送受信され、総数をより正確に把握することが出来る。
【００７７】
ＲＦＩＤタグ２は、総数情報の書込み命令を受信し（Ｓ６０７）、記憶部２３のタグＩＤ３１２を参照して自身のタグＩＤと命令において指定されているタグＩＤとが一致していれば（Ｓ６０８ＹＥＳ）、記憶部１３の総数情報３１３に受信した情報を書込む（Ｓ６０９）。一方、指定されたタグＩＤと一致しなかった場合は、終了する（Ｓ６０８ＮＯ）。
【００７８】
リーダライタ装置１のＳ５０９からＳ５１０においてＩＤ記憶部１４に存在する全てのタグＩＤに命令が出されるので、命令の数と同じだけＳ６０７からＳ６０９の処理は繰り返され、自身のタグＩＤ３２１が指定されたときにグループ番号３２２と総数情報３２３とに受信した情報が書き込まれる。例えば、図４の電子タグ（Ａ）２−１のようにタグＩＤ３１１に存在する「１０００１」がリーダライタ装置１において指定されたタグＩＤであった場合に、ＲＦＩＤタグ２の記憶部２３の総数情報３１３に「１２０」が書き込まれることとなる。
【００７９】
図５に示した実施例同様に、この処理の後に一括検品処理を実行させるとさらに確実性を向上させることが出来る。
【００８０】
以上の一連の処理によって、より確実なリーダライタ装置３と電子タグ２の間の電波の送受信が可能となる。そして好ましくない条件下でも全てのタグにグループ番号と総数情報を確実に書込むことができ、検品時にこれらのデータを用いて容易に納入物品の総数チェックが可能となる。また、この処理によって記憶部２３に書き込まれる情報はグループ番号と総数情報のみであり、小さな記憶可能領域のＲＦＩＤタグを利用することができる。
【００８１】
図９および図１０は他の実施の形態における一括検品処理のフローチャートであり、図２におけるリーダライタ装置３の処理とＲＦＩＤタグ２の処理を対応付けて記載したものである。ただし、図６の実施形態ではリーダ装置３はＲＦＩＤタグ２への書き込み処理は行わなかったが、図９および図１０の実施形態では送信部３１は書き込み処理を行う機能を有することが必要となる。よって、一括管理装置はリーダライタ装置３である。
【００８２】
そしてこの実施形態は、好ましいとはいえない条件下でも確実に一括検品を可能とするための処理の一例を示したものである。
【００８３】
リーダライタ装置３が検品開始指示を受けた後のＳ７０１およびＲＦＩＤタグ２のＳ８０１からＳ８０２は図６のＳ３０１およびＳ４０１からＳ４０２と同様であるので、説明は割愛する。
【００８４】
ＲＦＩＤタグ２からの応答のうち最も早く到達した応答をリーダライタ装置３の受信部３２が受信し、検品カウンタ部３３はその応答に含まれているタグの情報を読み込み、カウント番号をひとつ上げる（Ｓ７０２）。そして送信部３１は読み込んだタグＩＤを指定してフラグ「１」を立てるようフラグ命令を送信する（Ｓ７０３）。
【００８５】
このときのフラグとは応答したＲＦＩＤタグとそれ以外を区別するための識別情報である。日時等を書込ませる等、応答したタグとそれ以外を差別化できる情報であればよい。またこの場合はフラグを記憶できる領域がＲＦＩＤタグ２の記憶部２３に別途必要となる。電子タグ２の記憶部２３に識別情報を記憶させることで、一度応答した電子タグからの応答を除外することが出来、後述する処理において重複してカウントしてしまうことを防ぐことが出来る。
【００８６】
ＲＦＩＤタグ２はこのフラグ命令を受信し（Ｓ８０３）、記憶部２３の自身のタグＩＤ３２１を参照し、命令において指定されているタグＩＤと記憶しているタグＩＤが一致するかを判定する（Ｓ８０４）。一致していれば（Ｓ８０４ＹＥＳ）、フラグを立てる（Ｓ８０５）。一致していなければ（Ｓ８０４ＮＯ）、終了する。
【００８７】
例えば、図４のようにＲＦＩＤタグ（Ａ）２−１のタグＩＤ３１１に存在する「１０００１」がリーダライタ装置１において指定されたタグＩＤであった場合に、ＲＦＩＤタグ２の記憶部２３にフラグ「１」が立つこととなる。
【００８８】
続いてリーダライタ装置３の送信部３１が、Ｓ７０２で読み込んだグループ番号でかつフラグが立っていないものに応答するように命令を送信する（Ｓ７０４）。この応答命令をＲＦＩＤタグ２の受信部２１が受信し（Ｓ８０６）、制御部２４が記憶部２３のグループ番号３１２とフラグ欄を参照して、指定のグループ番号でかつフラグが０かどうかを判定する（Ｓ８０７）。Ｓ８０７において条件を満たした場合（Ｓ８０７ＹＥＳ）は送信部２２に応答を送信させる（Ｓ８０８）。条件を満たさなければ（Ｓ８０７ＮＯ）、そのまま終了する。
【００８９】
例えば、指定されたグループ番号が「Ａ２００８０８０１−１」であった場合に、ＲＦＩＤタグ（Ｂ）２−２の受信部２１が応答命令を受信し、制御部２４が命令を読み込み、記憶部２３のグループ番号３１２を参照する。図４の状態であれば格納されている情報が「Ａ２００８０８０１−１」で指定のグループ番号と一致し、かつフラグが「０」であれば、タグＩＤ３１１に格納されている「１０００２」を含んだ応答を送信部２２に送信させる。
【００９０】
条件を満たすＲＦＩＤタグ２の送信部２２から応答があった場合は（Ｓ７０５ＹＥＳ）、リーダライタ装置３の受信部３２は最先の応答のみを受信し、検品カウンタ部３３がＩＤを抽出するとともにカウント番号をひとつ数え上げる（Ｓ７０６）。そしてそのタグＩＤを指定してフラグ命令を出し（Ｓ７０７）、Ｂへ進む。ＲＦＩＤタグ２はＳ８０３からＳ８０５を行う。
【００９１】
リーダライタ装置３はＢへ進んだ後、Ｓ７０４およびＳ７０５と同様のＳ７１１およびＳ７１２を実行し、Ｓ７１２においてＲＦＩＤタグ２の送信部２２からのＳ８０８の応答がなくなるまで（Ｓ７１２ＹＥＳ）、Ｓ７０６とＳ７０７およびＳ７１１とＳ７１２を繰り返す。
【００９２】
Ｓ７０７およびＳ７１１において命令の送信を実行するごとに、送信部３１および受信部３２を有するアンテナを回転させる、アンテナの位置を変える若しくは送信の出力電力を変化させる等を行うと良い。これによってＲＦＩＤタグ２への命令が電子タグ２に確実に受信される。この場合は、更にアンテナの位置を制御する処理部を設けて、使用するアンテナを変更する若しくは移動させるようにしても良い。
【００９３】
例えば、電波を送信するアンテナから遠い位置にあるＲＦＩＤタグ２も、使用するアンテナを変える（位置が変わる）ことで、電波の送受信がより安定的に行えるようになる。そして、応答の数をより正確に把握することが出来る。
【００９４】
応答がなくなった場合は（Ｓ７１２ＮＯ）、検品判定部３４はこの時点での検品カウンタ部３３のカウント番号とＳ７０２で読み込んだ総数情報を比較する（Ｓ７０８）。一致した場合は検品結果出力部３５が「検品ＯＫ」の旨を出力し（Ｓ７０９）、一致しなかった場合は「検品ＮＧ」の旨を出力する（Ｓ７１０）。
【００９５】
例えば、図４の状態であるＲＦＩＤタグ２からＳ７０２で応答を受け総数情報「１２０」を読み取った場合に、検品カウンタ部のカウント番号が１２０であれば総数情報「１２０」と一致するので「検品ＯＫ」と出力し、１１８であれば不一致であるため「検品ＮＧ」と出力する。
【００９６】
以上の一連の処理によって、より確実なリーダライタ装置３と電子タグ２の間の電波の送受信が可能となる。よって、好ましくない条件下でも物品の個数と同数のＲＦＩＤタグとリーダライタ装置というシンプルな構成で効率的に納入物品の総数チェックが可能となる。さらに本実施例ではフラグを立てる領域を必要としているが、フラグに要するメモリは小さいので、本発明の効果のひとつである記憶可能領域の小さなＲＦＩＤタグは本実施例においても利用可能である。
【００９７】
なお本発明の実施形態は上記に限られるものではない。
【００９８】
以下では、図１１を用いて、上記の実施例に示した一括管理装置１および一括管理装置３と同様の機能を有する管理プログラムを実行するコンピュータを一例として説明する。図１１は一括管理装置のハードウェア構成の一例を示す図である。一括管理装置４は送信部４１、ＣＰＵ４２、受信部４３、ＨＤＤ４４、ＲＯＭ４５、ＲＡＭ４６を有しており、更にバス４７を介して相互に接続されている。そしてＣＰＵ４２による管理下で相互にデータの授受を行うことができる。
【００９９】
ＣＰＵ４２は、この一括管理装置全体の動作制御を司る中央処理装置である。送信部４１はＣＰＵ４２からの指示に応じて外部に信号を送信するものである。受信部４３は外部からの信号を受信し、その信号の内容をＣＰＵ４２に渡すものである。
【０１００】
ＲＯＭ４５には、上記の実施例に示した一括管理装置と同様の機能を発揮するプログラムがあらかじめ記憶されている。そして、ＣＰＵ４２がこのプログラムをＲＯＭ４５から読み出して実行することで、図１に示すグループ番号管理部１５及び総数カウンタ部１３、若しくは図２に示す検品結果出力部３５と検品判定部３４と検品カウンタ部３３として機能するようになる。このプログラムはＣＰＵ４２とアクセス可能なＨＤＤ４４またはＲＡＭ４６にあっても良い。
【０１０１】
上記フローチャートに示した処理内容を記述したプログラムは、コンピュータが読み取り可能な記録媒体に記録しておくことができる。コンピュータで読み取り可能な記録媒体には、磁気記録装置、光ディスク、光磁気記録媒体、半導体メモリなどがある。磁気記録装置には、ＨＤＤ、フレキシブルディスク（ＦＤ）、磁気テープ（ＭＴ）などがある。光ディスクには、ＤＶＤ（Ｄｉｇｉｔａｌ  Ｖｅｒｓａｔｉｌｅ  Ｄｉｓｃ）、ＤＶＤ−ＲＡＭ、ＣＤ−ＲＯＭ（Ｃｏｍｐａｃｔ  Ｄｉｓｃ  −  Ｒｅａｄ  Ｏｎｌｙ  Ｍｅｍｏｒｙ）、ＣＤ−Ｒ（Ｒｅｃｏｒｄａｂｌｅ）／ＲＷ（ＲｅＷｒｉｔａｂｌｅ）などがある。光磁気記録媒体には、ＭＯ（Ｍａｇｎｅｔｏ  −  Ｏｐｔｉｃａｌ  ｄｉｓｋ）などがある。このプログラムを流通させる場合には、例えば、そのプログラムが記録されたＤＶＤ、ＣＤ−ＲＯＭなどの可搬型記録媒体が販売されることが考えられる。
【０１０２】
そして上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。
【０１０３】
図１のリーダライタ装置１および図２のリーダ（ライタ）装置３は一台の装置上で実現される必要はなく、本願の一括管理方法を実行するリーダライタ装置１やリーダ装置３を不開示のコンピュータに接続させ、その接続しているコンピュータに上記プログラムを格納し動作させ、該コンピュータとリーダライタ装置１およびリーダ装置３を共同させて上記本願一括管理方法をリーダライタ装置１およびリーダ装置３に実行させることも可能である。つまり、タグデータ書込み処理を行う送信部１１、受信部１２、総数カウンタ部１３、ＩＤ記憶部１４及びグループ番号管理部１５が有すべき機能の処理機能、または一括検品処理を行う送信部３１、受信部３２、検品カウンタ部３３、検品判定部３４及び検品結果出力部３５が有すべき機能の処理がコンピュータおよびリーダライタ装置１またはリーダ装置３によって実現される。例えば一括管理装置は標準的なコンピュータに送受信用のアンテナを接続することで構成することも出来る。
【０１０４】
以下に付記する。
【０１０５】
（付記１）
一意に識別可能なＩＤを持ち読み書き可能な記憶領域を有する複数の電子タグとそれぞれ通信可能なコンピュータであって、外部からの信号を受信する受信部及び外部への信号を送信する送信部と接続しているコンピュータに一括管理を実行させるためのプログラムにおいて、
前記コンピュータに、
前記電子タグを有する複数の物品をひとつのグループとして管理するために該グループに一意に付されるグループ番号を生成するステップと、
前記送信部に前記電子タグに該電子タグの前記ＩＤを含んだ応答の返信命令を送信させるステップと、
前記受信部から前記応答の入力を受け付けるステップと、
前記受信部より受け付けた電子タグからの前記応答の数を数え、前記グループに属する物品の総数である総数情報を決定するステップと、
前記送信部に、前記応答に含まれる前記ＩＤに対応する電子タグの前記記憶領域に、前記生成した前記グループ番号及び前記決定した総数情報の書込み命令を送信させるステップと
を実行させることを特徴とする一括管理プログラム。
【０１０６】
（付記２）
前記応答の返信命令を送信させるステップは、前記送信部に前記返信命令を複数回送信させることを特徴とする付記１記載の一括管理プログラム。
【０１０７】
（付記３）
前記応答の返信命令を送信させるステップは、前記グループ番号及び前記総数情報を前記記憶領域に有していない初期状態の電子タグを指定して、前記送信部に前記返信命令を送信させることを特徴とする付記１記載の一括管理プログラム。
【０１０８】
（付記４）
前記一括管理プログラムはさらに、前記応答の返信命令を送信させるステップに先立って、前記複数の電子タグに前記記憶領域に存在する少なくとも前記部ループ番号及び総数情報を消去させる命令を送信させることを特徴とする付記１または付記３記載の一括管理プログラム。
【０１０９】
（付記５）
前記総数情報を決定するステップは、前記応答に含まれる前記ＩＤを抽出し該ＩＤの数を数えることを特徴とする付記１記載の一括管理プログラム。
【０１１０】
（付記６）
一意に識別可能なＩＤを持ち読み書き可能な記憶領域を有する複数の電子タグとそれぞれ通信可能なコンピュータであって、外部からの信号を受信する受信部及び外部への信号を送信する送信部と接続しているコンピュータに一括管理を実行させるためのプログラムにおいて、
前記コンピュータに、
前記受信部から、前記電子タグを個別に付した複数の物品をひとつのグループとして管理するための該グループに一意に付されるグループ番号と該グループに属する前記物品の総数である総数情報とを含んだ応答の入力を受け付けるステップと、
前記送信部に、前記受信部より受け付けた前記応答に含まれる前記グループ番号と同一のグループ番号を有する前記電子タグに該タグのＩＤを含んだ応答の返信命令を送信させるステップと、
前記受信部からの前記応答の入力を受け付けるステップと、
前記受信部より受け付けた前記応答の数を数えるステップと、
前記受信部より受け付けた前記応答に含まれる総数情報と前記検品カウンタ部が数えた前記応答の数とを比較し両者が一致するか否かを判定するステップと、
前記判定した結果を出力するステップと
を実行させることを特徴とする一括管理プログラム。
【０１１１】
（付記７）
前記応答の返信命令を送信させるステップは、前記送信部に前記返信命令を複数回送信させることを特徴とする付記６記載の一括検品プログラム。
【０１１２】
（付記８）
付記６または付記７記載の一括検品プログラムは更に、
前記応答の入力を受け付けるステップで受け付けた応答に含まれる前記ＩＤに対応する電子タグの前記記憶領域に、応答した電子タグと応答してない電子タグとを識別するための識別情報を書き込むよう前記送信部に識別情報書込み命令を送信させるステップを実行させることを特徴とする。
【０１１３】
（付記９）
前記応答の数を数えるステップは、前記応答に含まれる前記ＩＤを抽出し該ＩＤの数を数えることを特徴とする付記６記載の一括管理プログラム。
【０１１４】
（付記１０）
一意に識別可能なＩＤを持ち、読み書き可能な記憶領域を有する複数の電子タグとそれぞれ通信可能な一括管理装置であって、
前記電子タグを有する複数の物品をひとつのグループとして管理するための該グループに一意に付されるグループ番号を生成するグループ番号管理部と、
前記電子タグからの該電子タグの前記ＩＤを含んだ応答を受信する受信部と、
前記受信部が受信した前記電子タグからの前記応答の数を数え、前記グループに属する前記物品の総数である総数情報を決定する総数カウンタ部と、
前記電子タグに前記応答を返信するように命令を送信するとともに、前記グループ番号管理部が生成した前記グループ番号及び前記総数カウンタ部が決定した前記総数情報を前記受信部が受信した前記応答に含まれるＩＤに対応する該電子タグの前記記憶領域に書込むよう命令を送信する送信部と
を有することを特徴とする一括管理装置。
【０１１５】
（付記１１）
一括管理装置と通信可能な電子タグであって、
前記電子タグを一意に識別可能なＩＤ、電子タグを個別に付した複数の物品をひとつのグループとして管理するための該グループに一意に付されるグループ番号及び、該グループに属する物品の総数である総数情報を記憶する記憶部と、
前記一括管理装置からの命令を受信する受信部と、
前記一括管理装置へ前記ＩＤを含んだ応答を送信する送信部と
前記受信した命令を読み出し、該命令が前記グループ番号と前記総数情報との書き込み要求であった場合は、該グループ番号と総数情報とを前記記憶部に記憶させ、該命令が応答命令であった場合は、前記送信部に前記応答を送信させる制御部と
を有することを特徴とする電子タグ。
【０１１６】
（付記１２）
一意に識別可能なＩＤを持ち、読み書き可能な記憶領域を有する複数の電子タグとそれぞれ通信可能な一括管理装置であって、
前記電子タグを個別に付した複数の物品をひとつのグループとして管理するための該グループに一意に付されるグループ番号、該グループに属する物品の総数である総数情報及び、該電子タグの前記ＩＤを含んだ応答を受信する受信部と、
前記受信部が受信した前記応答に含まれるグループ番号と同一のグループ番号を有する前記電子タグに該電子タグの前記ＩＤを含んだ前記応答を返信するよう命令を送信する送信部と、
前記受信部が受信した前記応答の数を数える検品カウンタ部と、
前記受信部が受信した前記応答に含まれる総数情報と前記検品カウンタ部が数えた前記応答の数とを比較し両者が一致するか否かを判定する検品判定部と、
前記判定した結果を出力する検品結果出力部と
を有することを特徴とする一括管理装置。
【０１１７】
（付記１３）
一意に識別可能なＩＤを持ち読み書き可能な記憶領域を有する複数の電子タグとそれぞれ通信可能なコンピュータであって、外部からの信号を受信する受信部及び外部への信号を送信する送信部と接続しているコンピュータにおいて実行される一括管理方法であって、
前記電子タグを有する複数の物品をひとつのグループとして管理するために該グループに一意に付されるグループ番号を生成するステップと、
前記送信部に前記電子タグに該電子タグの前記ＩＤを含んだ応答の返信命令を送信させるステップと、
前記受信部から前記応答の入力を受け付けるステップと、
前記受信部より受け付けた電子タグからの前記応答の数を数え、前記グループに属する物品の総数である総数情報を決定するステップと、
前記送信部に、前記応答に含まれる前記ＩＤに対応する電子タグの前記記憶領域に、前記生成した前記グループ番号及び前記決定した総数情報の書込み命令を送信させるステップと
を含むことを特徴とする一括管理方法。
【０１１８】
（付記１４）
一意に識別可能なＩＤを持ち読み書き可能な記憶領域を有する複数の電子タグとそれぞれ通信可能なコンピュータであって、外部からの信号を受信する受信部及び外部への信号を送信する送信部と接続しているコンピュータにおいて実行される一括管理方法であって、
前記受信部から、前記電子タグを個別に付した複数の物品をひとつのグループとして管理するための該グループに一意に付されるグループ番号と該グループに属する前記物品の総数である総数情報とを含んだ応答の入力を受け付けるステップと、
前記送信部に、前記受信部より受け付けた前記応答に含まれる前記グループ番号と同一のグループ番号を有する前記電子タグに該タグのＩＤを含んだ応答の返信命令を送信させるステップと、
前記受信部からの前記応答の入力を受け付けるステップと、
前記受信部より受け付けた前記応答の数を数えるステップと、
前記受信部より受け付けた前記応答に含まれる総数情報と前記検品カウンタ部が数えた前記応答の数とを比較し両者が一致するか否かを判定するステップと、
前記判定した結果を出力するステップと
を含むことを特徴とする一括管理方法。
【０１１９】
（付記１５）
一意に識別可能なＩＤを持ち、読み書き可能な記憶領域を有する複数の電子タグとそれぞれ通信可能な複数のコンピュータを有する一括管理システムであって、
第一のコンピュータは、
前記電子タグを有する複数の物品をひとつのグループとして管理するための該グループに一意に付されるグループ番号を生成するグループ番号管理部と、
前記電子タグからの該電子タグの前記ＩＤを含んだ応答を受信する受信部と、
前記受信部が受信した前記電子タグからの前記応答の数を数え、前記グループに属する前記物品の総数である総数情報を決定する総数カウンタ部と、
前記電子タグに前記応答を返信するように命令を送信するとともに、前記グループ番号管理部が生成した前記グループ番号及び前記総数カウンタ部が決定した前記総数情報を前記受信部が受信した前記応答に含まれるＩＤに対応する該電子タグの前記記憶領域に書込むよう命令を送信する送信部とを有し、
第二のコンピュータは、
前記電子タグを個別に付した複数の物品をひとつのグループとして管理するための該グループに一意に付されるグループ番号、該グループに属する物品の総数である総数情報及び、該電子タグの前記ＩＤを含んだ応答を受信する受信部と、
前記受信部が受信した前記応答に含まれるグループ番号と同一のグループ番号を有する前記電子タグに該電子タグの前記ＩＤを含んだ前記応答を返信するよう命令を送信する送信部と、
前記受信部が受信した前記応答の数を数える検品カウンタ部と、
前記受信部が受信した前記応答に含まれる総数情報と前記検品カウンタ部が数えた前記応答の数とを比較し両者が一致するか否かを判定する検品判定部と、
前記判定した結果を出力する検品結果出力部と
を有することを特徴とする一括管理システム。
【図面の簡単な説明】
【０１２０】
【図１】実施例におけるタグデータ書込み処理実行側の一括管理装置の機能図の一例を示す図である
【図２】実施例における一括検品処理実行側の一括管理装置の機能図の一例を示す図である。
【図３】実施例における初期状態の電子タグ２の記憶部２３に格納されているデータテーブル例を示す図である。
【図４】実施例におけるタグデータ書込み処理完了時の電子タグ２の記憶部２３に格納されているデータテーブル例を示す図である。
【図５】実施例におけるタグデータ書込み処理のフローチャートの一例を示す図である。
【図６】実施例における一括検品処理のフローチャートの一例を示す図である。
【図７】実施例におけるタグデータ書込み処理のフローチャートの一例を示す図である。
【図８】実施例におけるタグデータ書込み処理のフローチャートの一例を示す図である。
【図９】実施例における一括検品処理のフローチャートの一例を示す図である。
【図１０】実施例における一括検品処理のフローチャートの一例を示す図である。
【図１１】実施例における一括管理装置のハードウェア構成の一例を示す図である。
【符号の説明】
【０１２１】
１      リーダライタ装置
１１    送信部
１２    受信部
１３    総数カウンタ部
１４    ＩＤ記憶部
１５    グループ番号管理部
１６    制御部
３      リーダ（ライタ）装置
３１    送信部
３２    受信部
３３    検品カウンタ部
３４    検品判定部
３５    検品結果出力部
３６    制御部
【図１】
2010102669.tif 000003
【図２】
2010102669.tif 000004
【図３】
2010102669.tif 000005
【図４】
2010102669.tif 000006
【図５】
2010102669.tif 000007
【図６】
2010102669.tif 000008
【図７】
2010102669.tif 000009
【図８】
2010102669.tif 000010
【図９】
2010102669.tif 000011
【図１０】
2010102669.tif 000012
【図１１】
2010102669.tif 000013